(57)【要約】【課題】表示部以外のスペースを有効活用して、イルミネーションの新たな表示方法が構築された携帯電話機を提供する。【解決手段】キーバックライト１７を点灯させてイルミネーションを表現するためのキーイルミネーションコンテンツの開始タイミングと、メインディスプレイ１１に表示される動画像コンテンツの開始タイミングとが同期し、メインディスプレイ１１に表示される動画像の動きに連動するように、該当する個々のキーバックライト１７が点灯される。【選択図】図５
2010034711.tif 000002
【特許請求の範囲】
【請求項１】
表示部と、複数のキースイッチからなるキー操作部と、前記各キースイッチに対して個々に照光するための複数のキーバックライトとを備えてなる携帯電話機であって、
前記表示部に表示される動画像の動きに連動するように、該当する個々の前記キーバックライトを点灯させるキーバックライト点灯制御手段が設けられていることを特徴とする携帯電話機。
【請求項２】
表示部と、複数のキースイッチからなるキー操作部と、前記各キースイッチに対して個々に照光するための複数のキーバックライトとを備えてなる携帯電話機であって、
前記キーバックライトを点灯させてイルミネーションを表現するためのキーイルミネーションコンテンツの開始タイミングと、前記表示部に表示される動画像コンテンツの開始タイミングとを同期させることにより、前記表示部に表示される動画像の動きに連動するように、該当する個々の前記キーバックライトを点灯させるキーバックライト点灯制御手段が設けられていることを特徴とする携帯電話機。
【請求項３】
前記各キーバックライトは、
設定された点灯色で点灯する構成とされ、
前記キーバックライト点灯制御手段は、
前記キーイルミネーションコンテンツに基づいて、前記各キーバックライトの点灯色、輝度及び点灯タイミングを設定する構成とされていることを特徴とする請求項２記載の携帯電話機。
【請求項４】
前記各キーバックライトは、
Ｒ（赤），Ｇ（緑），Ｂ（青）の点灯素子を有し、
前記キーバックライト点灯制御手段は、
前記各キーバックライトの前記Ｒ（赤），Ｇ（緑），Ｂ（青）の点灯素子の輝度及び点灯タイミングを個別に制御する構成とされていることを特徴とする請求項２又は３記載の携帯電話機。
【請求項５】
前記キーバックライト点灯制御手段は、
前記表示部に待受け画面が表示され、かつ該待受け画面中に所定のキャラクタが動画として表示されるとき、該キャラクタの動きに連動するように前記キーバックライトを点灯させる構成とされていることを特徴とする請求項２、３又は４記載の携帯電話機。
【請求項６】
表示部と、複数のキースイッチからなるキー操作部と、前記各キースイッチに対して個々に照光するための複数のキーバックライトとを備えてなる携帯電話機に用いられるキーバックライト点灯方法であって、
前記表示部に表示される動画像の動きに連動するように、該当する個々の前記キーバックライトを点灯させることを特徴とするキーバックライト点灯方法。
【請求項７】
表示部と、複数のキースイッチからなるキー操作部と、前記各キースイッチに対して個々に照光するための複数のキーバックライトとを備えてなる携帯電話機に用いられるキーバックライト点灯方法であって、
前記キーバックライトを点灯させてイルミネーションを表現するためのキーイルミネーションコンテンツの開始タイミングと、前記表示部に表示される動画像コンテンツの開始タイミングとを同期させることにより、前記表示部に表示される動画像の動きに連動するように、該当する個々の前記キーバックライトを点灯させることを特徴とするキーバックライト点灯方法。
【請求項８】
コンピュータを請求項１乃至５のいずれか一に記載のキーバックライト点灯制御手段として機能させるためのコンピュータ読み取り可能なキーバックライト点灯制御プログラム。
【発明の詳細な説明】
【技術分野】
【０００１】
この発明は、携帯電話機、該携帯電話機に用いられるキーバックライト点灯方法及びキーバックライト点灯制御プログラムに係り、特に、キー操作部を構成する各キースイッチに対して個々に照光するためのキーバックライトが設けられている場合に適用して好適な携帯電話機、該携帯電話機に用いられるキーバックライト点灯方法及びキーバックライト点灯制御プログラムに関する。
【背景技術】
【０００２】
携帯電話機では、メインディスプレイ（主表示部）のサイズは拡大される傾向にあるが、同時に本体サイズは小型化される傾向にあり、メインディスプレイのサイズと本体サイズがほぼ同じサイズになりつつある。このため、今後、メインディスプレイの表示スペースが限られてくることが予想される一方、限られた表示スペースを用いつつ、新たな表現手段及び方法を構築する必要があるという課題がある。
【０００３】
この種の関連する技術としては、たとえば、特許文献１に記載されたキーバックライトの制御方法がある。
この制御方法では、発着信時やメールモード時、制御部により、キー対応発光色設定メモリから全てのキー番号に対応して記憶されている異なる発光色の色彩データが読み出され、キーバックライトの３色ＬＥＤが発光するように制御される。また、アプリケーション機能の起動時には、機能対応発光色制御テーブルから有効キーと無効キーそれぞれに対応して記憶されている発光色とその色彩データが読み出され、有効キー及び無効キーに対応するキーバックライトの３色ＬＥＤが異なる発光色で発光するように制御される。
【０００４】
また、特許文献２に記載された点灯機能付き携帯電話機では、複数の多色発光部が電話機動作に応じて同時に又は個別に二以上の異なる色で発光し、操作キー部の複数のキーが点灯又は点滅することにより、操作キー部が表示手段として活用される。
【特許文献１】特開２００５−１３４９９８号公報（要約書、図１）
【特許文献２】特開２００１−２１７９０４号公報（要約書、図１）
【発明の開示】
【発明が解決しようとする課題】
【０００５】
しかしながら、上記文献に記載の技術では、次のような問題点がある。
すなわち、特許文献１に記載されたキーバックライトの制御方法では、キーバックライトの点灯時の発光色により、キー識別及びキー操作の効率が向上するが、携帯電話機の操作部のスペースを有効活用するものではなく、この発明とは構成が異なり、上記の課題は、解決されない。
【０００６】
また、特許文献２に記載された携帯電話機では、操作キー部が表示手段として活用されるが、表示部による表示内容との関係については記載がなく、上記の課題は、解決されない。
【０００７】
この発明は、上述の事情に鑑みてなされたもので、表示部以外のスペースを有効活用する新たな表示方法が構築された携帯電話機、該携帯電話機に用いられるキーバックライト点灯方法及びキーバックライト点灯制御プログラムを提供することを目的としている。
【課題を解決するための手段】
【０００８】
上記課題を解決するために、この発明の第１の構成は、表示部と、複数のキースイッチからなるキー操作部と、前記各キースイッチに対して個々に照光するための複数のキーバックライトとを備えてなる携帯電話機に係り、前記表示部に表示される動画像の動きに連動するように、該当する個々の前記キーバックライトを点灯させるキーバックライト点灯制御手段が設けられていることを特徴としている。
【０００９】
この発明の第２の構成は、表示部と、複数のキースイッチからなるキー操作部と、前記各キースイッチに対して個々に照光するための複数のキーバックライトとを備えてなる携帯電話機に用いられるキーバックライト点灯方法に係り、前記表示部に表示される動画像の動きに連動するように、該当する個々の前記キーバックライトを点灯させることを特徴としている。
【発明の効果】
【００１０】
この発明の構成によれば、キーバックライト点灯制御手段により、キーバックライトを点灯させてイルミネーションを表現するためのキーイルミネーションコンテンツの開始タイミングと、表示部に表示される動画像コンテンツの開始タイミングとが同期し、表示部に表示される動画像の動きに連動するように、該当する個々のキーバックライトが点灯される。これにより、キーバックライトが新たな表現方法として使用され、携帯電話機の資源を有効活用することができる。また、表示部の表示だけでは表現しきれない迫力や臨場感をキーイルミネーションとの連動で補完することができる。さらに、キーバックライトを表示機能として使用することで、表示部のみの状態に比べて表示面積が拡大され、表現力を向上することができる。
【発明を実施するための最良の形態】
【００１１】
キーバックライトを点灯させてイルミネーションを表現するためのキーイルミネーションコンテンツの開始タイミングと、表示部に表示される動画像コンテンツの開始タイミングとを同期させることにより、上記表示部に表示される動画像の動きに連動するように、該当する個々のキーバックライトを点灯させるキーバックライト点灯制御手段が設けられている携帯電話機を提供する。
【００１２】
また、この発明では、上記各キーバックライトは、設定された点灯色で点灯する構成とされ、上記キーバックライト点灯制御手段は、上記キーイルミネーションコンテンツに基づいて、上記各キーバックライトの点灯色、輝度及び点灯タイミングを設定する構成とされている。
【００１３】
また、この発明では、上記各キーバックライトは、Ｒ（赤），Ｇ（緑），Ｂ（青）の点灯素子を有し、上記キーバックライト点灯制御手段は、上記各キーバックライトの上記Ｒ（赤），Ｇ（緑），Ｂ（青）の点灯素子の輝度及び点灯タイミングを個別に制御する構成とされている。
【００１４】
また、この発明では、上記キーバックライト点灯制御手段は、上記表示部に待受け画面が表示され、かつ該待受け画面中に所定のキャラクタが動画として表示されるとき、該キャラクタの動きに連動するように上記キーバックライトを点灯させる構成とされている。
【実施例】
【００１５】
図１は、この発明の一実施例である携帯電話機の要部の電気的構成を示すブロック図である。
この例の携帯電話機１は、同図に示すように、メインディスプレイ１１と、開閉検出装置１２と、赤外線通信部１３と、無線通信部１４と、FeliCa（登録商標）通信部１５と、キー操作部１６と、キーバックライト１７と、制御部１８とから構成されている。メインディスプレイ１１は、たとえば液晶表示装置などで構成され、ユーザ・インタフェースとして所定の表示を行う。開閉検出装置１２は、たとえばホールＩＣなどで構成され、携帯電話機１が折畳み型の筐体で構成されている場合にユーザ・インタフェースとして同筐体の開閉状態を検出する。
【００１６】
赤外線通信部１３は、図示しない他の携帯電話機や送受信端末との間で赤外線によるデータ通信を行う。無線通信部１４は、図示しないアンテナを介して無線信号により図示しない無線基地局に無線接続される。無線基地局は、図示しない在圏移動通信交換局及び関門移動通信交換局を介して公衆網に接続されている。特に、この実施例では、無線通信部１４は、送信動作による送信信号に対する変調及び受信動作による受信信号に対する復調などの処理を行い、たとえば公衆網に接続されているネットワークサーバとの間でデータ通信を行う。FeliCa通信部１５は、図示しない他の携帯電話機や送受信端末との間で非接触ＩＣカードの技術によるデータ通信を行う。キー操作部１６は、ユーザ・インタフェースとして所定の操作を行うための複数のキースイッチを有している。キーバックライト１７は、たとえばＬＥＤ（Light Emitting Diode、発光ダイオード）などで構成され、キー操作部１６の下に配置されて上記各キースイッチに対して個々に照光する。
【００１７】
制御部１８は、携帯電話機１全体を制御するコンピュータとしてのＣＰＵ（中央処理装置）１８ａ及び同ＣＰＵ１８ａを動作させるためのコンピュータ読み取り可能なキーバックライト点灯制御プログラムが記録されたＲＯＭ（リード・オンリ・メモリ）１８ｂを有している。特に、この実施例では、制御部１８は、メインディスプレイ１１に表示される画像（動画像）の動きに連動するように、該当する個々のキーバックライト１７を点灯させる。また、制御部１８は、キーバックライト１７を点灯させてイルミネーションを表現するためのキーイルミネーションコンテンツの開始タイミングと、メインディスプレイ１１に表示される動画像コンテンツの開始タイミングとを同期させる。また、各キーバックライト１７は、設定された点灯色で点灯する構成とされ、制御部１８は、キーイルミネーションコンテンツに基づいて、各キーバックライト１７の点灯色、輝度及び点灯タイミングを設定する。
【００１８】
また、制御部１８は、メインディスプレイ１１に表示するための待受け画像コンテンツとキーイルミネーションコンテンツとを一括で設定する機能を有している。この一括設定機能では、待受け画像コンテンツとキーイルミネーションコンテンツとをセットとして選択可能とし、一覧の中から設定パターンを選択すると、待受け画像コンテンツとキーイルミネーションコンテンツとがペアで同時に設定されるようになっている。また、携帯電話機１に図示しない背面ランプがある場合、この一括設定機能では、待受け画像とキーイルミネーションの他、背面ランプの色、背面ランプの点灯パターン、電源オン時の画像、電源オン時のキーイルミネーション、電話発着信時の画像、メール送受信時の画像、メニューの構成画像、メニューのレイアウト、及び各種着信音を全体で一括して設定するようになっている。ユーザは、この一括設定を選択することで、トータルでバランスの良い推奨される設定を実施可能となる。特に、背面ランプの色や点灯パターンとキーイルミネーションは、コーディネート（調整）されていることが望ましいため、一括設定は有効である。
【００１９】
図２は、図１の携帯電話機１の要部の外観及び構成を示す模式図である。
この携帯電話機１は、同図２（ａ）に示すように、上部ユニット２１と、下部ユニット２２とを備えている。上部ユニット２１は、正面側にメインディスプレイ１１を備え、下部ユニット２２が、正面側に各キースイッチからなるキー操作部１６を備えている。そして、上部ユニット２１の正面側及び下部ユニット２２の正面側同士が向かい合う態様でヒンジ部２３を介して折り畳み可能に構成されている。また、同図２（ｂ）に示すように、キー操作部１６の各キースイッチの下に各キーバックライト１７が配置され、同各キーバックライト１７は、同図２（ｃ）に示すように、Ｒ（赤），Ｇ（緑），Ｂ（青）のＬＥＤ、及び電源供給用の端子ｖｃを有している。図１中の制御部１８は、各キーバックライト１７のＲ（赤），Ｇ（緑），Ｂ（青）のＬＥＤの輝度及び点灯タイミングを個別に制御し、色Ａ，Ｂ，Ｃ，Ｄ，Ｅで点灯させる。これらの色Ａ，Ｂ，Ｃ，Ｄ，Ｅは、Ｒ（赤），Ｇ（緑），Ｂ（青）のＬＥＤの輝度の割合により制御される。
【００２０】
図３は、キーバックライト１７により表現されるキーイルミネーションの例を示す図、図４は、キーイルミネーションに連動してメインディスプレイ１１に表示される画像の例を示す図、図５は、携帯電話機１によるイルミネーションのイメージを示す図、図６は、携帯電話機１の筐体が開くタイミングで行われるメインディスプレイ表示及びキーイルミネーション点灯の連動を説明するフローチャート、図７は、携帯電話機１の電源がオン状態となるタイミングで行われるメインディスプレイ表示、キーイルミネーション点灯及びメロディ鳴動の連動を説明するフローチャート、及び図８が、携帯電話機１の各イベントに合わせたメインディスプレイ表示及びキーイルミネーション点灯の連動を説明するフローチャートである。
これらの図を参照して、この例の携帯電話機に用いられるキーバックライト点灯方法の処理内容について説明する。
この携帯電話機１では、制御部１８により、メインディスプレイ１１に表示される動画像の動きに連動するように、該当する個々のキーバックライト１７が点灯される。この場合、制御部１８により、キーバックライト１７を点灯させてイルミネーションを表現するためのキーイルミネーションコンテンツの開始タイミングと、メインディスプレイ１１に表示される動画像コンテンツの開始タイミングとを同期させる。
【００２１】
すなわち、図３（ａ）（ステップ１）に示すように、キーバックライト１７が色Ａで点灯され、この数ｍｓ後、図３（ｂ）（ステップ２）、図３（ｃ）（ステップ３）、及び図３（ｄ）（ステップ４）に示すように、色Ａの点灯箇所が徐々に上へ移動することで、色Ａの光が上へ上昇していく動きがキーバックライト１７で表現される。次に、図４（ｅ）（ステップ５）に示すように、キーバックライト１７からメインディスプレイ１１中に表示された画像Ａに連続して変化する。この後、画像Ａが上昇し、図４（ｆ）（ステップ６）に示すように、画像Ｂが表示され、図４（ｇ）（ステップ７）に示すように、花火が弾けた画像Ｃが表示される。上記ステップ１乃至ステップ７の処理に加え、図５に示すように、色Ｂの点灯箇所及び色Ｃの点灯箇所が徐々に上へ移動することにより、メインディスプレイ１１に画像ｖａが表示され、花火の打ち上げをイメージさせるイルミネーションが表現される。
【００２２】
ここで、メインディスプレイ１１に表示される動画と、キーイルミネーションの点灯タイミングとを同期させる方法について説明する。
すなわち、図３（ａ）（ステップ１）では、キーイルミネーションコンテンツの開始タイミングと動画像コンテンツの開始タイミングとは同期しており、各コンテンツは、ステップ２、ステップ３及びステップ４による時間の経過と共にイルミネーション表示される。また、図３（ｄ）（ステップ４）から図４（ｅ）（ステップ５）にかけて、キーイルミネーションで表示されていた色Ａがメインディスプレイ１１での画像Ａに連続して変化するが、このタイミングは、各コンテンツの開始からの時間を考慮して、各コンテンツ側で作成される。つまり、キーイルミネーションコンテンツの開始タイミングと、メインディスプレイ１１に表示される動画像コンテンツの開始タイミングとを同期させることで、メインディスプレイ１１の表示とキーイルミネーションとが連動する。
【００２３】
上記メインディスプレイ１１の表示とキーイルミネーションとの連動を行うシーンとして、（１）携帯電話機１の筐体を開くとき、（２）電源オン時、及び、（３）その他のイベント発生時（たとえば、電話発着信や各種の通信中、電源オフなど）がある。すなわち、携帯電話機１の筐体を開くときでは、図６に示すように、メインディスプレイ１１がスリープ状態（ステップＡ１）のとき、携帯電話機１の筐体を開状態にすると、開閉検出装置１２のホールＩＣにより開状態が検出され（ステップＡ２）、制御部１８へ伝達される。制御部１８では、メインディスプレイ１１にスリープアウトの命令を伝達し（ステップＡ３）、待受け画面（動画部分）表示を開始する（ステップＡ４ａ）。このとき、制御部１８では、待受け画面表示開始に同期するように、キーバックライト１７によるキーイルミネーション点灯を開始する（ステップＡ４ｂ）。これにより、メインディスプレイ１１の待受け画面表示及びキーバックライト１７のキーイルミネーションが同時にスタートする。待受け画面表示とキーイルミネーション点灯表示とは、表示内容に関連性があり、表示タイミングも連動するように制御される（ステップＡ５）。
【００２４】
待受け画面の動画部分が表示終了すると（ステップＡ６）、メインディスプレイ１１の待受け画面は固定表示となる（ステップＡ８）。固定表示の画像については、待受け画面のコンテンツに含む。また、キーイルミネーション点灯が終了すると（ステップＡ７）、キーバックライト１７が点灯する（ステップＡ９）。このキーバックライト１７の点灯では、ユーザがキー操作部１６のキー印字を見やすい色で点灯する状態（たとえば、キーバックライトの全面を統一した色で点灯し、明るさは微灯とする）となる。
【００２５】
また、電源オン時では、図７に示すように、携帯電話機１の電源がオン状態にされると（ステップＢ１）、制御部１８では、メインディスプレイ１１にウェイクアップ画像表示を開始する（ステップＢ２ａ）。このとき、制御部１８では、ウェイクアップ画像表示開始と同期するように、キーバックライト１７によるキーイルミネーション点灯を開始すると共に（ステップＢ２ｂ）、図示しない鳴動手段によるメロディの鳴動を開始する（ステップＢ２ｃ）。これにより、メインディスプレイ１１のウェイクアップ画像表示、キーイルミネーション及びメロディ鳴動が同時にスタートする。ウェイクアップ画面表示、キーイルミネーション点灯表示及びメロディ鳴動は、コンテンツ内容に関連性があり、点灯タイミングや鳴動タイミングが連動するように制御される（ステップＢ３）。ウェイクアップ画面の表示が終了すると（ステップＢ４）、図６中のステップＡ４ａと同様に、待受け画面（動画部分）表示開始に移行する。これ以降、図６と同様の処理が行われる。
【００２６】
また、図８に示すように、携帯電話機１でイベントが発生する（ステップＣ１）。イベントは、たとえば、電話発信中と着信中、メール送信中と受信中、赤外線通信中、FeliCa通信中、各種アラーム鳴動中、ミュージックコンテンツ再生中などがある。制御部１８では、メインディスプレイ１１の待受け画面にイベント実行中である旨の表示を開始する（ステップＣ２ａ）。このとき、制御部１８では、待受け画面表示開始に同期するように、キーバックライト１７によるキーイルミネーション点灯を開始する（ステップＣ２ｂ）。これにより、メインディスプレイ１１の待受け画面表示及びキーバックライト１７のキーイルミネーションが同時にスタートする。イベント実行中の画面表示とキーイルミネーション点灯表示とは、表示内容に関連性があり、表示タイミングも連動するように制御される（ステップＣ３）。イベント実行中は、メインディスプレイ１１表示及びキーイルミネーションの各コンテンツの再生が繰り返し実行され、イベント終了にて再生が終了する（ステップＣ４，Ｃ５，Ｃ６，Ｃ７）。この後、メインディスプレイ１１の待受け画面は固定表示となり（ステップＣ８）、また、キーバックライト１７が点灯する（ステップＣ９）。
【００２７】
以上のように、この実施例では、制御部１８により、キーバックライト１７を点灯させてイルミネーションを表現するためのキーイルミネーションコンテンツの開始タイミングと、メインディスプレイ１１に表示される動画像コンテンツの開始タイミングとが同期し、メインディスプレイ１１に表示される動画像の動きに連動するように、該当する個々のキーバックライト１７が点灯される。これにより、キーバックライト１７が新たな表現方法として使用され、携帯電話機の資源が有効活用される。また、メインディスプレイ１１の表示だけでは表現しきれない迫力や臨場感がキーイルミネーションとの連動で補完される。さらに、キーバックライト１７を表示機能として使用することで、メインディスプレイ１１のみの状態に比べて表示面積が拡大され、表現力が向上する。
【００２８】
以上、この発明の実施例を図面により詳述してきたが、具体的な構成は同実施例に限られるものではなく、この発明の要旨を逸脱しない範囲の設計の変更などがあっても、この発明に含まれる。
たとえば、制御部１８は、メインディスプレイ１１に待受け画面が表示され、かつ、同待受け画面中に所定のキャラクタが動画として表示されるとき、同キャラクタの動きに連動するようにキーバックライト１７をキーイルミネーションとして点灯させる構成としても良い（請求項５に対応）。この場合、たとえば動物などのキャラクタがユーザのキー操作に応じて手足を動かした場合、同キャラクタの動きに連動してキーバックライト１７がキーイルミネーション点灯する。また、同キャラクタが喜怒哀楽を表現する場合、キーバックライト１７が喜怒哀楽を模したキーイルミネーション点灯を行う。
【００２９】
また、たとえばメール受信や電話着信など、携帯電話機１の状態変化をキャラクタが知らせる場合は、キーバックライト１７の点灯する位置を調整することにより、たとえばメールマークなどの絵柄を表現するようにしても良い。また、スケジュールに設定した時刻になるとキャラクタが知らせるように設定されている場合は、キーバックライト１７によるキーイルミネーションが激しく明滅して設定時刻の到来を知らせ、キーバックライト１７の点灯する位置を調整することにより、時刻をキーイルミネーションで表示するようにしても良い。これにより、待受け画面に表示されたキャラクタの動きを印象深いものとする効果がある。
【００３０】
また、たとえば図９に示すように、画像ｖｂにより、星空に流星が表示されているが、これに連動して各キーバックライト１７が色Ｄでランダムに明滅することにより星空が表現され、また、矢印の順番にキーバックライト１７が色Ｄで点灯することにより流星が表現される。また、図１０に示すように、キーバックライト１７が色Ｄで矢印方向に沿って順次点灯し、画像ｖｃの待受け画面により、画像Ｅ（ハート形）に順次変化する様子が表現される。また、携帯電話機１の筐体は、折畳み型に限らず、ストレート型やスライド型でも良い。また、図７中のメロディの鳴動は、省略しても、上記実施例とほぼ同様の作用、効果が得られる。
【産業上の利用可能性】
【００３１】
この発明は、キー操作部を構成するキースイッチにキーバックライトが設けられている携帯電話機全般に適用できる。
【図面の簡単な説明】
【００３２】
【図１】この発明の一実施例である携帯電話機の要部の電気的構成を示すブロック図である。
【図２】図１の携帯電話機１の要部の外観及び構成を示す模式図である。
【図３】キーバックライト１７により表現されるキーイルミネーションの例を示す図である。
【図４】キーイルミネーションに連動してメインディスプレイ１１に表示される画像の例を示す図である。
【図５】携帯電話機１によるイルミネーションのイメージを示す図である。
【図６】携帯電話機１の筐体が開くタイミングで行われるメインディスプレイ表示及びキーイルミネーション点灯の連動を説明するフローチャートである。
【図７】携帯電話機１の電源がオン状態となるタイミングで行われるメインディスプレイ表示、キーイルミネーション点灯及びメロディ鳴動の連動を説明するフローチャートである。
【図８】携帯電話機１の各イベントに合わせたメインディスプレイ表示及びキーイルミネーション点灯の連動を説明するフローチャートである。
【図９】携帯電話機１によるイルミネーションのイメージの他の例を示す図である。
【図１０】携帯電話機１によるイルミネーションのイメージの他の例を示す図である。
【符号の説明】
【００３３】
１      携帯電話機
１１      メインディスプレイ（表示部、携帯電話機の一部）
１２      開閉検出装置（携帯電話機の一部）
１３      赤外線通信部（携帯電話機の一部）
１４      無線通信部（携帯電話機の一部）
１５      FeliCa通信部（携帯電話機の一部）
１６      キー操作部（携帯電話機の一部）
１７      キーバックライト（携帯電話機の一部）
１８      制御部（キーバックライト点灯制御手段、携帯電話機の一部）
１８ａ      ＣＰＵ（中央処理装置）（キーバックライト点灯制御手段の一部）
１８ｂ      ＲＯＭ（リード・オンリ・メモリ）（キーバックライト点灯制御手段の一部）
【図１】
2010034711.tif 000003
【図２】
2010034711.tif 000004
【図３】
2010034711.tif 000005
【図４】
2010034711.tif 000006
【図５】
2010034711.tif 000007
【図６】
2010034711.tif 000008
【図７】
2010034711.tif 000009
【図８】
2010034711.tif 000010
【図９】
2010034711.tif 000011
【図１０】
2010034711.tif 000012